(57)【特許請求の範囲】
【請求項１】
電動モータにより回転する羽根をガード部内に収容した本体部と、該本体部を設置面上に設置させる台座部を備え、該台座部の上面に前記電動モータに電力を供給するバッテリパックを装着するためのバッテリ装着部を備えた扇風機であって、
前記羽根を回転させて風を発生させる本来の送風機能に加えて、前記バッテリパックを充電するための充電機能を内装した扇風機。
【請求項２】
電動モータにより回転する羽根をガード部内に収容した本体部と、該本体部を設置面上に設置させる台座部を備え、該台座部の上面に前記電動モータに電力を供給するバッテリパックを装着するためのバッテリ装着部を備えた扇風機であって、
前記羽根を回転させて風を発生させる本来の送風機能に加えて、前記バッテリパックを電源とするラジオを内装した扇風機。
【請求項３】
電動モータにより回転する羽根をガード部内に収容した本体部と、該本体部を設置面上に設置させる台座部を備え、該台座部の上面に前記電動モータに電力を供給するバッテリパックを装着するためのバッテリ装着部を備えた扇風機であって、
前記羽根を回転させて風を発生させる本来の送風機能に加えて、前記バッテリパックを電源とする照明装置を内装した扇風機。
【請求項４】
電動モータにより回転する羽根をガード部内に収容した本体部と、該本体部を設置面上に設置させる台座部を備え、該台座部の上面に前記電動モータに電力を供給するバッテリパックを装着するためのバッテリ装着部を備えた扇風機であって、
前記羽根を回転させて風を発生させる本来の送風機能に加えて、前記バッテリパックを電源とする外部機器を接続するための外部機器接続部を備えた扇風機。
【発明の詳細な説明】
【技術分野】
【０００１】
この発明は、バッテリ式の扇風機に関する。
【背景技術】
【０００２】
充電式のバッテリ（直流電源）を電源とする扇風機は、一般家庭の交流１００Ｖ電源を必要としないことから、例えば建築工事現場等の様々な場所に持ち運んで使用できる。また、バッテリを取り外して別途用意した充電器で充電すれば繰り返し使用することができる。例えば、建築工事現場等において、電気ドリルやねじ締め機等の電動工具のバッテリとして用いられる充電式のバッテリパックを電源として利用できれば、この種のバッテリを扇風機と電動工具とで効率よく使い回すことができる。
下記の特許文献には、充電式のバッテリを電源とする扇風機に関する技術が開示されている。開示された技術によれば、比較的重量の大きなバッテリを支脚の下端部に装着して置き台として機能させる構成であるので、扇風機を安定して設置しておくことができる。
【先行技術文献】
【特許文献】
【０００３】
【特許文献１】特開平3-172598号公報
【特許文献２】特開2000-92726号公報
【特許文献３】米国特許第2004/0147295号
【発明の概要】
【発明が解決しようとする課題】
【０００４】
しかしながら、上記従来の扇風機では、バッテリ自体が置き台を構成するためこのバッテリを取り外して交換若しくは充電する場合には、扇風機の全体を持ち上げる必要があり、この点でバッテリの取り外し操作が面倒であった。
本発明は、係る従来の問題に鑑みてなされたもので、わざわざ持ち上げなくともバッテリを取り外すことができるようにすることを目的とする。
【課題を解決するための手段】
【０００５】
上記の課題は、下記の発明によって解決される。
第１の発明は、電動モータにより回転する羽根をガード部内に収容した本体部と、本体部を設置面上に設置させる台座部を備え、台座部の上面に電動モータに電力を供給するバッテリパックを装着するためのバッテリ装着部を備えた扇風機であって、羽根を回転させて風を発生させる本来の送風機能に加えて付加機能を備えた扇風機である。
第１の発明によれば、バッテリパックが台座部の上面に装着される構成であるので、わざわざ当該扇風機を持ち上げなくとも、その取り付け、取り外しを行うことができ、これにより当該扇風機の使い勝手及び取り扱い性を高めることができる。
しかも、扇風機としての使用（送風機能）に加えて、これとは異なる別の機能を利用することができるので、当該扇風機の付加価値を高めることができる。付加機能としては、バッテリパックを充電するための充電機能、ラジオ、照明装置、ＡＶ機器等接続用のＵＳＢ（Universal Serial Bus)端子やＡＵＸ端子、ＤＣ入出力端子、ワンセグテレビ、携帯ミュージックプレーヤ接続用ドック等を装備することができる。
第２の発明は、第１の発明において、付加機能としてバッテリパックを充電するための充電機能を備えた扇風機である。
第２の発明によれば、バッテリ装着部にバッテリパックを装着した状態のままこのバッテリパックを充電することができる。このため、バッテリパックをわざわざバッテリ装着部から取り外して別途用意した充電器で充電するといった手間を掛ける必要がなく、この点で当該扇風機の付加価値を高めることができる。この場合、当該扇風機をＡＣ電源に接続して、このＡＣ電源を電源として装着状態のバッテリパックを充電する構成とすることができる。
第３の発明は、第１又は第２の発明において、付加機能として、バッテリパックを電源とするラジオを内装した扇風機である。
第３の発明によれば、扇風機の送風機能に加えてラジオを聴くことができ、この点で当該扇風機の付加価値を高めることができる。
第４の発明は、第１〜第３の何れか一つの発明において、付加機能として、バッテリパックを電源とする照明装置を内装した扇風機である。
第４の発明によれば、扇風機の送風機能に加えて照明装置により周囲を明るく照らすことができ、この点で当該扇風機の付加価値を高めることができる。
第５の発明は、第１〜第４の何れか一つの発明において、付加機能として、前記バッテリパックを電源とする外部機器を接続するための外部機器接続部を備えた扇風機である。
第５の発明によれば、携帯音楽プレーヤを接続してバッテリパックを電源として利用することができ、この点で当該扇風機の付加価値をより一層高めることができる。
第６の発明は、第１〜第４の何れか一つの発明において、付加機能として、デジタル信号若しくはアナログ信号の入出力部を備えた扇風機である。
第６の発明によれば、信号入出力部を介して外部から当該扇風機に例えば駆動回路制御用やバッテリ制御用のデジタル信号を入力して、その不具合解消を図り、また制御ソフトのバージョンアップを簡単に行うことができる。このように、バッテリパックを電源としない外部機器であって、単にデジタル信号若しくはアナログ信号を入出力する外部機器を接続して利用できることによっても、当該扇風機の付加価値を高めることができる。信号入出力部としては、ＵＳＢポートやＡＵＸ端子等を設定することができる。ＵＳＢポートを介して当該扇風機をパソコンに接続することにより、本体部の駆動電源回路やバッテリ制御回路等の制御ソフトにアクセスして、その管理やバージョンアップ等を簡単に行うことができる。また、ＵＳＢポートを介して当該扇風機をネットワークに接続することにより、外出先で当該扇風機の動作を管理できるようになる。
【図面の簡単な説明】
【０００６】
【図１】本発明の実施形態に係る扇風機の正面図である。
【図２】図１の(II)矢視図であって、扇風機の右側面図である。
【図３】図２の(III)部拡大図であって、右脚部の右側部の拡大図である。本図は、第３の付加機能としての外部機器接続部の拡大図を示している。
【図４】扇風機の全体斜視図である。本図は、右斜め後方から見た状態を示している。
【図５】扇風機の全体斜視図である。本図は、左斜め前方から見た状態を示している。
【図６】ワンセグ形テレビを備えた扇風機の全体斜視図である。本図は、右斜め前方から見た状態を示している。
【発明を実施するための形態】
【０００７】
次に、本発明の実施形態を図１〜図６に基づいて説明する。本実施形態に係る扇風機１は、電動モータ３（直流モータ）と、この電動モータ３で回転する３枚羽根形式の羽根（ファン）４と、羽根４の周囲を覆うガード５を備えた本体部２と、この本体部２を設置面Ｆ上に設置（自立）させる台座部６を備えている。
ガード５の上部には、持ち運び用の大型のハンドル部１２が設けられている。このガード５の正面側及び背面側を除く周囲は、適度な弾性を有するエラストマで覆われている。ガード５の周囲がエラストマで覆われていることにより、当該ガード５の損傷を防止して扇風機１の耐久性を高められている。ガード５の周囲を覆うエラストマ被覆部１８には、周方向適宜間隔をおいて緩衝用の凸部１８ａ〜１８ａが設けられている。この周囲の凸部１８ａ〜１８ａにより、転倒時等におけるガード部５の衝撃吸収能が高められてその損傷がより確実に防止されるようになっている。
台座部６は、設置面Ｆ上に沿って当接される基台部７と、基台部７の左右両側から上方へ延びて本体部２を左右両側で支持する２本の脚部８，９を備えている。基台部７は概ね円柱体形を有しており、その左右方向中央の上面にバッテリパック１０が装着されている。
左右の脚部８，９は、その下部に設けた円環形状の支持部８ａ，９ａを介して基台部７に上下に回動可能に支持されている。左右の脚部８，９は、基台部７から上方へ起立した位置と、設置面Ｆに沿った位置との間でほぼ９０°の角度範囲で傾動させることができる。支持部８ａ，９ａには、それぞれ平坦な接地部８ｂ，９ｂが設けられている。
図４に示すように、基台部７の後部には、Ｕ字形の補助脚部１１が後方へ張り出す状態に設けられている。この補助脚部１１によって、基台部７はその上面に装着したバッテリパック１０を上面に位置させた姿勢に保持され、これにより当該扇風機１を自立させた状態に保持することができる。
基台部７に対して左右の脚部７，８を後方へ倒して本体部２を設置面Ｆに沿った位置に傾動させると、本体部２が補助脚部１１に対して折り畳まれることによりコンパクトな状態で収納することができる。
【０００８】
基台部７の左右中央の上面に、バッテリ装着部１３が設けられている。このバッテリ装着部１３には左右一対のレール部が設けられている。このバッテリ装着部１３に対してバッテリパック１０を正面側から背面側に向けて（図２において左側から右側に向けて）スライドさせることにより、当該バッテリパック１０をバッテリ装着部１３に装着することができる。バッテリパック１０がバッテリ装着部１３に装着されると、当該バッテリパック１０が当該扇風機１の電源回路に電気的に接続されて電動モータ３に電源供給可能な状態となる。
バッテリパック１０は、電動ねじ締め機やグラインダ等の電動工具のバッテリとして用いられるものであり、これら電動工具から取り外したバッテリパックをそのまま用いることができる。従って、このバッテリパック１０は、バッテリ装着部１３から取り外して、別途用意した充電器で充電することにより繰り返し使用することができる。本実施形態では、バッテリパック１０には、ケース内に複数本のセルを収容したリチウムイオンバッテリが用いられており、例えば１４．４Ｖや１８Ｖ等の高出力のものが用いられている。
このバッテリパック１０の正面には取り外しボタン１０ａが設けられている。この取り外しボタン１０ａを図１において上側（アンロック側）にスライド操作した状態で、当該バッテリパック１０を正面側に（図１において手前側に向けて）スライドさせればバッテリ装着部１３から取り外すことができる。
前記したように本体部２を設置面Ｆに沿った位置に折り畳んだ状態であっても、バッテリパック１０をバッテリ取り付け部１３に対して上下にスライドさせることにより取り付け、取り外しすることができる。
【０００９】
基台部７の内部であって、バッテリ装着部１３の下側には、第１の付加機能としてバッテリパック１０を充電するための充電器２１が内装されている。バッテリパック１０をバッテリ装着部１３に取り付けた状態のままで、この充電器２１によってバッテリパック１０が充電される。扇風機として電動モータ３を起動させる場合には、バッテリパック１０から直流電源が供給される一方、電動モータ３を停止させるとバッテリパック１０が充電器２１で充電される。充電器２１には、図示省略したＡＣ電源コードを経て交流１００Ｖが供給される。
左脚部８の正面には、第２の付加機能が組み込まれている。本実施形態では、第２の付加機能としてラジオ２２が組み込まれている。左脚部８の正面には、ラジオ２２のオンオフと音量調整機能を兼ね備えたダイヤル式のスイッチ２２ａと、選局用のチューニングダイヤル２２ｂと、スピーカ２２ｃが配置されている。また、左脚部８の左側部には、ラジオ電波受信用のアンテナ２２ｄが設けられている。スイッチ２２ａをオン操作するとバッテリパック１０から当該ラジオ２２に電源供給される。ダイヤル２２ｂで選局すればアンテナ２２ｄで電波が受信されてスピーカ２２ｃでラジオ番組を聴くことができる。
右脚部９の正面には、扇風機としての本来の機能を操作するための、電源スイッチ１５や強弱切り換えボタン１６が配置されている。
【００１０】
右脚部９の右側部には、上記充電器２１、ラジオ２２とは異なる第３の付加機能として外部機器接続部２３が装備されている。この外部機器接続部２３の詳細が図３に示されている。この外部機器接続部２３には、ＤＣ電源（１２Ｖ）出力用の出力端子２３ａと、ＤＣ電源入力用の入力端子２３ｂと、Ａ端子接続用のＵＳＢポート２３ｃが設けられている。本実施形態では、バスパワー型（電源供給型）のＵＳＢポート２３ｃが設けられている。
ハンドル部１２には、第４の付加機能が設けられている。本実施形態では、第４の付加機構として照明装置２４を備えている。ハンドル部１２は、本体部２の上部から左右対をなして上方へ延びる支脚部１２ａ，１２ａと、両支脚部１２ａ，１２ａの上端部間に掛け渡し状に固定された把持部１２ｂを備えている。両支脚部１２ａ，１２ａの正面には、全面発光形の照明具２４ａ，２４ａが配置されている。両照明具２４ａ，２４ａには、発光ダイオード（ＬＥＤ）が用いられている。両照明具２４ａ，２４ａは、右側の支脚部１２ａの上部に設けた照明スイッチ２４ｂを押し操作すると点灯する。両照明具２４ａ，２４ａは、バッテリパック１０を電源として点灯する。照明スイッチ２４ｂを再度押し操作すると両照明具２４ａ，２４ａが消灯する。
【００１１】
以上のように構成した実施形態の扇風機１によれば、電源としてのバッテリパック１０を基台部７の上面に設けたバッテリ装着部１３に装着する構成であり、かつその取り付け、取り外しのためのスライド方向が設置面Ｆにほぼ沿った方向となっている。このため、ハンドル部１２を把持する等して当該扇風機１をわざわざ持ち上げなくとも（設置状態のまま）、バッテリパック１０をバッテリ装着部１３に対して取り付け、取り外しすることができ、この点で従来のような手間を掛ける必要がないので、当該扇風機１の操作性及び使い勝手を高めることができる。
しかも、本実施形態の扇風機１には、第１〜第４の付加機構が備えられている。先ず、第１の付加機能である充電器２１により、バッテリパック１０をバッテリ装着部１３に取り付けた状態のままで当該バッテリパック１０を充電することができるので、充電のたびにバッテリ装着部１３から取り外して別途用意した充電器で充電する場合に比して、充電の手間を大幅に簡略化することができ、この点で当該扇風機１の使い勝手及び付加価値を高めることができる。
また、第２の付加機能であるラジオ２２によって、例えば作業現場で扇風機１を単に送風機として用いるのみでなく、作業をしながらラジオ２２で必要な情報等を得ることができ、この点でも当該扇風機１の付加価値を高めることができる。
さらに、第３の付加機能である外部機器接続部２３によれば、出力端子２３ａに携帯音楽プレーヤ等の電源アダプタを接続して当該バッテリパック１０を電源として利用することができる。また、入力端子２３ｂに電源アダプタを介してＡＣ電源を接続すれば、当該扇風機１をＡＣ１００Ｖで利用（充交両用）することができる。さらに、バスパワー型のＵＳＢポート２３ｃにＵＳＢ接続タイプのファン、照明あるいはミュージックプレーヤ等を接続すればバッテリパック１０を電源としてこれら各種の外部機器を利用することができる。
また、第４の付加機構である照明装置２４を用いることにより、暗い場所での作業を扇風機１の送風機能（本来の機能）を利用しながら効率よく行うことができる。
【００１２】
以上説明した第１実施形態には種々変更を加えることができる。例えば、第１〜第４の付加機能として、充電器２１、ラジオ２２、外部機器接続部２３及び照明装置２４を例示したが、バッテリパック１０を電源とするその他様々な付加機能を当該扇風機１に備え付けることができる。
例えば、図６に示すように、第５の付加機能としてワンセグ型のテレビ２５を備え付けることができる。図示するようにこのテレビ２５は、ガード部５の中央に組み込まれている。図中符号２５ａは、液晶画面であり、その下側に電源スイッチ２５ｂ、チャンネルボタン２５ｃ、音量調整ボタン２５ｄが配置されている。この第５の付加機能によれば、扇風機１の本体の機能である送風機能に加えてテレビ２５により必要な情報等を映像で視聴することができ、この点で当該扇風機１の付加価値を一層高めることができる。
例示した第１〜第５の付加機能のいくつかについては適宜省略することができる。逆に例示したものとはさらに異なる付加機能を追加することもできる。例えば、主としてオーディオ用の補助端子（ＡＵＸ端子）を設けることもできる。
また、例えばハンドル１２の支脚部１２ａ若しくは把持部１２ｂに、携帯形の音楽、動画プレーヤを直接接続する専用ドックを付加機能として備え付けることもできる。この場合、プレーヤで再生された音楽をラジオ２２のスピーカ２２ｃで再生し、動画をテレビ２５の液晶画面２５ａとスピーカ２２ｃで再生することができる。
また、例えば、定格電圧が１４．４Ｖのバッテリパック１０を例示したが、これ以外のバッテリパックを設定することもできる。また、装着するバッテリパックの個数についても変更することができる。
さらに、基台部７の上面にバッテリ装着部１３を設けた構成を例示したが、基台部７の左右側部に一つずつバッテリパックを装着、取り外しする構成、あるいはその背面部に対してバッテリパックをスライドさせ、抜き差しして装着、取り外しする構成、脚部８，９の一方又は双方の正面若しくは背面にバッテリパックをスライドさせ、抜き差しして装着、取り外しする構成、本体部２の正面、背面若しくは側部に対してバッテリパックをスライドさせ、抜き差しして装着、取り外しする構成とすることによっても、当該扇風機１の設置状態でバッテリパックの装着、取り外しのために必要な移動領域が十分に確保されることにより従来のような手間を掛けることなく、バッテリパックを装着、取り外しすることができ、これにより当該扇風機１の使い勝手を高めることができる。
【符号の説明】
【００１３】
Ｆ…設置面
１…扇風機
２…本体部
３…電動モータ
４…羽根（ファン）
５…ガード
６…台座部
７…基台部
８…脚部（左）、８ａ…支持部、８ｂ…接地部
９…脚部（右）、９ａ…支持部、９ｂ…接地部
１０…バッテリパック（スライドタイプ）
１１…補助脚部
１２…ハンドル部
１３…バッテリ装着部
１５…電源スイッチ
１６…強弱切り換えボタン
１８…エラストマ被覆層，１８ａ…緩衝用の凸部
２１…充電器（第１の付加機能）
２２…ラジオ（第２の付加機能）
２２ａ…スイッチ、２２ｂ…チューニングダイヤル、２２ｃ…スピーカ
２２ｄ…アンテナ
２３…外部機器接続部（第３の付加機能）
２３ａ…出力端子、２３ｂ…入力端子、２３ｃ…ＵＳＢポート
２４…照明装置（第４の付加機能）、２４ａ…照明具、２４ｂ…照明スイッチ
２５…テレビ（第５の付加機能）
２５ａ…液晶画面、２５ｂ…電源スイッチ、２５ｃ…チャンネルボタン
２５ｄ…音量調整ボタン
【図１】
0005697558.tif 000002
【図２】
0005697558.tif 000003
【図３】
0005697558.tif 000004
【図４】
0005697558.tif 000005
【図５】
0005697558.tif 000006
【図６】
0005697558.tif 000007